(57)【要約】【課題】ルアー本体で遊泳姿勢、遊泳水深の設定を釣り人本人が出来る構造であり、今までのルアーではルアー本体を食べさせる物だが、これは本体後部に疑似餌等を付けるものであり潜行、浮上及び遊泳姿勢の設定が出来るルアー及び潜行板及び潜行ウキを提供する。機能を理解すれば思うように操作可能だが、理解できないと複雑に思うかもしれない。【解決手段】本発明では、広範囲の場所で使用が可能である。投入後に必要深度に達したと思われる頃に、リールを巻く等で引く力を与える事でルアー本体１の各位機能の位置設定の働きで動作する。又、いったん沈んだルアー本体１でもルアー本体１の釣糸接続位置（複数の中通し穴２、移動式アイ１３）と翼状ウイング１９の設定位置の条件によりリールを巻く事で上方に移動する、この状態を続ければ水面まで遊泳し誘導する事が出来る。本体とウイングの設定方法で多様な遊泳深度の調整が有る程度可能である。【選択図】図１
2012200255.tif 000002
【特許請求の範囲】
【請求項１】
魚釣りのルアー及び潜行板及び潜行ウキであり、釣糸等を結ぶものをアイと言う、このアイを移動式アイにする、
この移動式アイの本体は前部と後部に適宜の穴があるが複数の穴が空いている物もあり針金等線状と板状のものである、この穴の一方に釣糸等を結び反対側の穴はルアー及び潜行板及び潜行ウキの本体内に円運動の支点になる支柱があり、この支柱に反対側の穴を入れる、この支柱を中心に円運動する状態である移動式アイであり、
この移動式アイにはアイの位置を拘束する切れ込み溝や弾性物質があり円運動の移動範囲を定める溝等の移動部及び停止部を備える、
【請求項２】
ルアー及び潜行板及び潜行ウキの長手方向に向けて外周の適宜の位置に凸凹状の溝及び切れ込みがある、この凸凹状の溝及び切れ込みは流体中及び遊泳中に微細振動を発生させるもので周囲の魚類に存在を知らせる及び凸凹状の溝及び切れ込みを利用して移動式アイや外周装着オモリ等を固定する事も出来る、
【請求項３】
ルアー及び潜行板及び潜行ウキはこれらの本体が左右又は上下に分離するものもある、
分離することでルアー及び潜行板及び潜行ウキの内部に必要量のオモリ等を収納する為の必要適宜の溝、穴があり、それらに適宜のオモリを入れて希望の重心及び重量を得るものである、
ルアー及び潜行板及び潜行ウキの外周の長手方向の適宜の箇所又は必要箇所に外部に取付けるオモリ等を取付ける為の溝、切れ込み、穴等がある。
【請求項４】
魚釣りのルアー及び潜行板及び潜行ウキであり釣糸等を結ぶアイと言われる物に変わり、同じ効果となるものである、ルアー及び潜行板及び潜行ウキ本体外部から長手方向に本体内部を通り他方の本体外部に貫通する中通し穴であり、この中通し穴が複数あり互いに交差する物で複数の中通し穴である、
ルアー及び潜行板及び潜行ウキの出入り口は複数の中通し穴の為、穴が単独で空いている物と連続する物があり出入り口の穴と出入り口の穴を結ぶ連絡溝が有りその内部で釣糸等が自由に移動出来る構造である、釣糸等を適宜の位置に固定又は拘束するためにルアー及び潜行板及び潜行ウキの出入り口部に弾性物質のパイプ状の物を差し込み位置の固定又は拘束をするものもある。
【請求項５】
魚釣りのルアー及び潜行板及び潜行ウキであり本体外部又は本体内部に翼状のウイングを付ける、この翼状のウイングは必要な範囲に移動及び脱着することも出来る、この翼状のウイングの形状は目的により飛行機、自動車、花等であり、この翼状のウイングを取付ける方法としてルアー及び潜行板及び潜行ウキ本体外部に翼状のウイングを挿入、移動が可能な適宜の溝が有りこの溝に沿って移動する、この溝には翼状のウイングの取付け位置の固定又は拘束をするために凸凹状の切れ込み溝が複数あり、翼状のウイングに付いている凸凹状と噛合うことで取付け位置の固定又は拘束をするものもある、翼状のウイング形状は目的により多様な形状がある、
ルアー及び潜行板及び潜行ウキの本体内部に翼状のウイングを収納した形状で本体外部の適宜の箇所から翼状のウイングが出る状態でありこの翼状のウイングを前後移動させる為の切れ込み溝がある、この切れ込み溝には凸凹状の溝があり翼状のウイングの移動位置を定められるものである、
ルアー及び潜行板及び潜行ウキの本体外部を包む様な形状の翼状のウイングで凸凹状の溝がありルアー及び潜行板及び潜行ウキの凸凹状溝等と噛合い移動位置の設定を行う、ルアー及び潜行板及び潜行ウキの目的により多様な形状がある、
これらの翼状のウイングには適宜のオモリを付加するものもある。
【請求項６】
魚釣りのルアー及び潜行板及び潜行ウキであり本体外部又は本体内部に磁石を付加するものがある毛鉤等の疑似餌を仮止めし釣糸の絡みを軽減する、
ルアー及び潜行板及び潜行ウキは本体内部及び外部に別の疑似餌及び魚、エビ等の餌を取付ける事が出来る、
ルアー及び潜行板及び潜行ウキの本体外部に先端に輪がある棒状の釣糸支持棒を付ける物が有る、ルアー及び潜行板及び潜行ウキの振動を釣糸支持棒で増幅させこの後方に付けた疑似餌等に振動を与える。
請求項１から請求項６の必要な機能を全部又は適宜使用した釣り具。
【発明の詳細な説明】
【技術分野】
【０００１】本発明は、釣りに用いられるルアー及び潜行板及び潜行ウキに関する。
【背景技術】
【０００２】  近年、ルアーを用いて魚を釣る方法が盛んに行われている。対象となる魚の種類も多く淡水域ではブラックバス、マス類他等又、海水域ではスズキ、ヒラメ等々多種なルアーで釣れる対象魚がいる。これらの魚を釣ろうとすると当然の事ながら使用するルアーも多種多様な物から対象魚の大きさ、生息水深等に合わせたルアーを選んで釣りをするものである。【０００３】  特に対象魚の生息水深が深い所で釣る為のルアーは棒状で重量のある金属製のルアーを使用する事が多い。この水深よりは浅い所に生息する対象魚には木製、プラスチック製等の魚型やエビ型のルアーを使用して対象となる魚を釣るものである。これらのルアーはリールを巻くか、川等の流れの様な中でそのルアーに設定されている動きをする、魚型ルアーなら魚が泳いでいるような動きで釣ろうとしている魚にそのルアーが餌だと思わせて魚が食べた所でルアーに付いている釣針で釣る方法である。【０００４】  これらのルアーのほとんどがルアー前、後、腹部等に釣糸や釣針を結ぶ金属製の輪があり、この輪をアイと言う、今後この輪をアイと記す。
腹部と後部のアイには釣針を付けている、先頭部のアイに釣糸を結びつけて使用する、このルアーの操作はリールを巻くスピードや竿の操作で現実には食べられないルアーを小魚として演出して魚を釣る物である。
【先行技術文献】
【特許文献】
【０００５】
【特許文献１】特開２００５−３１８８２６号
【特許文献２】特開２００７−１８５１１２号
【特許文献３】特開２００８−１６７６９２号
【特許文献４】出願（申請）２０１０−１１４７３３
【発明の開示】
【発明が解決しようとする課題】
【０００６】本発明の目的は、ルアー本体に対し複数のアイが有る物と同様な効果及び機能として、ルアー本体に釣糸の接続位置が移動出来る様にルアー本体への釣糸の接続支点移動を可能とする。
ルアー本体に取付けたアイ本体の支点位置を変えられるようなルアー及び潜行板及び潜行ウキ。
ルアー本体に移動式の翼状ウイングを付け水の抵抗でルアー本体の姿勢を変化させるルアー及び潜行板及び潜行ウキ。
ルアー本体内部及び外部の必要な箇所にオモリを必要量付ける事ができるルアー及び潜行板及び潜行ウキ。
ルアー本体内部及び外部に別の疑似餌又は魚類、エビ等の餌を取付けられるルアー及び潜行板及び潜行ウキ。
前期の一部又は全部の機能を組み合せたルアー及び潜行板及び潜行ウキを提供する。
【課題を解決するための手段】
【０００７】  現在ある、ルアーのアイは後部に一つ、前部に一つ又は数個のアイが有るかそれに変わる板状のプレートにアイとする穴を複数空けた物が有る。
本発明のルアー本体１にアイを複数ある物と同効果として、ルアー本体１を長手方向にルアー本体１前部から後部にかけて貫通する複数の中通し穴２を空ける、この貫通する複数の中通し穴２はルアー本体１の内部で連結し合う構造で釣糸を前部及び後部から挿入出来る複数の中通し穴である。
この複数の中通し穴２の構造は、複数の中通し穴２と複数の中通し穴２が連結した物と複数の中通し穴２と複数の中通し穴２が離れている物があるが、離れている複数の中通し穴２と複数の中通し穴２を釣糸が自由に通れる連絡穴３が空いている図３。【０００８】この複数の中通し穴２に釣糸を通し使うが、このままでは複数の中通し穴２と複数の中通し穴２の間を釣糸が自由に移動してしまう。
本発明ではこの複数の中通し穴２を作り、弾性物質のパイプ４を複数の中通し穴２の出入り口部に挿入する事で釣糸の接続位置を保持する。
ルアー本体１が釣糸に摩擦こすれ等の力学的作用を弾性物質のパイプ４で保護する事も兼ねている図３。【０００９】この弾性物質のパイプ４はルアー本体１の前部及び後部にそれぞれ挿入して固定する方法と、
ルアー本体１前部又は後部からルアー本体１の内部を貫通する長さの弾性物質のパイプ４を挿入し釣糸をガイドにして弾性物質のパイプ４を目的の複数の中通し穴２に抜き出して使う方法である。
釣り糸をルアー本体１に貫通させルアー本体１前部又は後部でヨリモドシを付けその先に釣糸付きの疑似餌や釣針を付ける方法で、複数の中通し穴２からなる中通し式である。
この貫通する複数の中通し穴２のどの位置に釣糸を接続するかでルアー本体１に対する支点が変わり水の抵抗が変化し遊泳姿勢が変わる。
この複数の中通し穴は長手方向にルアー本体１の外部から内部を通り他方の外部に貫通する構造で、この穴同士が内部で交差する物や、交差しない物もあるが前期の連絡穴３はないものもある。
これらの中通し穴の入口、出口の形状は用途により種々の形状が有る。【００１０】ルアー本体１の必要箇所に取付け位置を変えられるアイがある。
このアイは両端に穴が空いている、一方の穴は釣糸等を結ぶ為の穴で反対側の穴はルアー本体に取付ける為の穴である。図１
この両端の穴と穴は接近した形状と、離れた形状がある。
ルアー本体に取付ける部分のアイの穴を支点とする支柱があり、それを中心とする円運動が出来る。
以後この円運動が可能なアイを、ここでは移動式アイと称する。
釣糸等を結ぶ為のアイの輪又は穴がルアー本体１外部に出してある、アイの輪又は穴につながる部分とルアー本体１に取付ける部分が有り取付ける部分には必要な大きさの穴が空いていて、この穴にルアー本体１に取付けるシャフト状のピンを挿入する事により固定する。
この事により、シャフト状のピンを中心に円運動する状態になるが、移動範囲をルアー本体１の目的に合わせ設定する方法である。図１、２、５【００１１】ルアー本体１に活発な動きや変わった動き及び潜行、浮上をさせるため翼状ウイング１９を取付ける事でルアー本体１が受ける水の抵抗が変わる。
この翼状ウイング１９の取付け位置の移動が出来る構造にする事でルアー本体１が受ける水の抵抗が変化しルアーの遊泳姿勢や潜行及び浮上角度が変化する図４。【００１２】ルアー本体１の内部又は外部の必要な箇所に必要量のオモリを付ける、ルアー本体１に対しどの位置にオモリが有るかでルアーの遊泳姿勢が変わる。図１、２
オモリの取付け方法はルアー本体１の外周の適宜な箇所の長手方向に凹状溝、切れ込みが有り、この凹状に必要量のオモリ等を取付ける。
オモリの取付け方法はルアー本体１の外周の適宜な箇所の必要部分に凸凹状の切れ込みを付ける、この切れ込みに丈夫な糸等でオモリを結びつけてオモリの取付け位置を指定する、この外周の凸凹状の切れ込みは上記移動式アイの固定にも使用することができる。図１、３、５【００１３】ルアー本体１の外周の適宜な箇所の必要部分に凸凹状の切れ込みの目的は、ルアー本体１の外部に凸凹状の構造物が有ると流体の中でその凸凹に渦状の乱流が発生し周囲の魚に存在を知らせる目的と、オモリや移動式のアイを止めておく為の滑り止めとしての目的も有る。図１、３、５【００１４】本発明のルアー本体１の遊泳姿勢や潜行角度の変化について前記ルアー本体１の機能を組み合わせそれぞれの設定位置を変える事で両機構が受ける水の抵抗が複合的に変化する事で潜行角度、浮上角度の変化や活発な動きや変わった動きをさせる。【００１５】ルアー本体１の構造について、本発明のルアー及び潜行板及び潜行ウキは長手方向に適宜の箇所で左右上下等に分離しルアー及び潜行板及び潜行ウキの内部にオモリ、釣糸、疑似餌、魚、エビ等を格納及び包込む形状のものもある。
【発明の効果】
【００１６】このルアーは釣糸の接続支点位置を変える機構と、取付け位置を変えられるオモリ、移動式の翼状ウイングの取付け位置で重心移動及び水の抵抗によりルアー及び潜行板及び潜行ウキの遊泳姿勢、沈下、浮上の姿勢を自分の思う状態にある程度調整出来る。
各部機能の取付け位置変更は簡単に出来るものである。
【図面の簡単な説明】
【００１７】
【図１】図１はルアー及び潜行板及び潜行ウキを示した説明図である。
【図２】図２はルアー及び潜行板及び潜行ウキを示した説明図である。
【図３】図３はルアー及び潜行板及び潜行ウキを示した説明図である。
【図４】図４はルアー及び潜行板及び潜行ウキを示した説明図である。
【図５】図５はルアー及び潜行板及び潜行ウキを示した説明図である。
【発明を実施するための最良の形態】
【００１８】ルアー本体１への釣糸接続部をルアー本体１の前方部から中央部にかけて釣糸を接続出来る位置を指定出来る釣糸接続部を有する事。中通し式にすれば魚が先端部の疑似餌を食った時にルアー等の抵抗を少なく出来る為魚からのアタリがより効果的に感じられる図３。【００１９】ルアー本体１前方から後方にかけて釣糸の取付け位置の指定が出来る釣糸接続部（移動式アイ１３）及び本体に対する荷重量及び過重位置指定の出来る荷重部を有すること、及び翼状ウイング１９を付ける事により水の抵抗を効率良く受ける事等を複合させる方法である。
翼状ウイング１９を取付けなくても前者のみでの方法でも多少の効果がある。
ルアー本体１の釣糸を接続させるための機構を複数の中通し穴２を作成し、それぞれの穴を連絡するために複数の中通し穴２より小さめな穴を空け各穴の間を釣糸が自由に移動出来る連絡穴３がある構造である。
前記と同様な効果として移動式アイの必要な位置でのアイ位置設定する事である。
釣糸等を接続する為の支点を多数設置し必要に応じて移動出来る構造にした。【００２０】ルアー本体１に設定位置の移動が可能な翼状ウイング１９を取付けた、この翼状ウイング１９の設定位置により水の抵抗及び翼状ウイング１９の自重によりルアー本体１の遊泳状態に変化を与える構造である図１、２。【００２１】翼状ウイング１９の形状には、使用目的等により多様な形状を持つ。例えばルアー本体１と翼状ウイング１９で飛行機の様な形の物や、自動車の様な形、花の様な形等色々な形状の物もある。基本的にルアー及び潜行板及び潜行ウキである、当然通常のルアー形状もある。【００２２】ルアー本体に磁石２２を付ける図１、２。
小型の疑似餌や毛鉤をルアー本体１の磁石２２に付けて投げた時の糸がらみを防止する機構を備える。【００２３】ルアー本体１から棒状の釣糸支持棒２３を取付ける図１。
ルアー本体１後部に釣糸を取り付けその先端に毛鉤等疑似餌を付けた時にルアー本体１の振動を前記釣糸支持棒２３で増幅させ後部に付けた釣糸を振動させその先端に付いている毛鉤等疑似餌にその振動を伝える為の物である。
【実施例１】
【００２４】ルアー本体１に対する荷重位置、荷重量、ルアー本体１に釣糸接続位置の変えられる機構を作り複数の中通し穴及び移動式アイの実施をした、ルアー本体１の釣糸接続位置等で遊泳姿勢や遊泳状態が変化した。【００２５】釣糸支持棒２３の機構に関してルアー本体１後部に取付け実施した所、釣糸支持棒２３がない物とルアー本体１後部に取付けた釣糸とその先端の毛鉤の動きが変化した。
【実施例２】
【００２６】ルアー本体１に取り付けた翼状ウイング１９の位置や翼状ウイング１９に取り付けたオモリ位置やオモリ量により翼状ウイング１９の効果を実施したところ水の抵抗が変化し遊泳姿勢及び遊泳水深が変化した。
【産業上の利用可能性】
【００２７】ルアー本体や翼状のウイング等の構造は通常のルアーとほとんど同じで通常の製造方法で作成が可能である。
【符号の説明】１  ルアー本体
２  複数の中通し穴
３  連絡穴
４  弾性物質のパイプ
５  複数の中通し穴の出入り口形状例
６  本体外部外周の凸凹状溝
７  本体外部外周のオモリ設置溝
８  本体内部の複数のオモリ設置穴
９  本体内部の取付けオモリ
１０  本体外部の取付けオモリ
１１  本体左右分離時の位置合わせシャフト等
１２  通常のアイ
１３  移動式アイ
１４  移動式アイの移動位置溝
１５  移動式アイの支点ピン
１６  移動式アイの位置拘束用弾性物質材
１７  本体外部の翼状ウイング取付け溝
１８  本体外部の翼状ウイング取付け溝内の凸凹状溝
１９  翼状ウイング
２０  本体外部外周包囲式翼状ウイング
２１  磁石
２２  釣糸等支持
【図１】
2012200255.tif 000003
【図２】
2012200255.tif 000004
【図３】
2012200255.tif 000005
【図４】
2012200255.tif 000006
【図５】
2012200255.tif 000007